(57)【要約】  本開示主題は、固締アセンブリおよび固締アセンブリを含むコンテナシステムを対象とする。固締アセンブリは、ネック部材の外面の少なくとも一部の回りで軸方向に延在し、不完全な構成物の途切れた螺旋形の螺条を形成する一連の回旋部（１３５）を含む円筒形のネック部材（１２２）と、ネック部材とネジで留めるために構成され、螺旋形の螺条との螺合係合のために構成された少なくとも１つのリブ（１４８）を含み、少なくとも１つのリブが内部螺条の一部を形成するカラー部材とを含む。
2015522484.tif 000002
【特許請求の範囲】
【請求項１】
長手方向軸に沿って伸長し、
（ａ）円筒形のネック部材であって、前記ネック部材の外面の少なくとも一部の回りで軸方向に延在し、不完全な構成物の途切れた螺旋形の螺条を形成する一連の回旋部を備える円筒形のネック部材と、
（ｂ）前記ネック部材とネジで留めるために構成されるカラー部材であって、前記カラー部材は、前記螺旋形の螺条との螺合係合のために構成された少なくとも１つのリブを備える円筒形の内面を有し、前記少なくとも１つのリブは内部螺条の一部を形成する、カラー部材と
を備え、
（ｃ）前記一連の回旋部の内の各回旋部がリード端部からブレーキ端部に延在し、前記ブレーキ端部が前記リード端部から離間され、前記ブレーキ端部と前記リード端部との間に、前記途切れた螺旋形の螺条の前記不完全な構成物によって構成されるスライドギャップを形成する、固締アセンブリ。
【請求項２】
前記スライドギャップが、前記長手方向軸に平行な前記ネック部材の少なくとも一部に沿って軸方向に延在する、請求項１に記載の固締アセンブリ。
【請求項３】
前記少なくとも１つのリブが、前記ギャップに沿った摺動自在な転移のために構成される、請求項２に記載の固締アセンブリ。
【請求項４】
前記ネック部材が少なくとも２つの半径方向に転移されるスライドギャップを備える、前記請求項のいずれか１項に記載の固締アセンブリ。
【請求項５】
前記ブレーキ端部が平行に伸長し、前記少なくとも１つのリブの停止壁上での螺合を妨げるために構成された前記停止壁によって軸方向に連結される、前記請求項のいずれか１項に記載の固締アセンブリ。
【請求項６】
前記停止壁が前記ネック部材の前記外面から外向きに半径方向に延在し、少なくとも前記回旋部の高さに相当する高さまで突出する、請求項５に記載の固締アセンブリ。
【請求項７】
前記少なくとも１つのリブが、前記回旋部のいずれか１つの前記リード端部を通した螺合化のために構成される、請求項１に記載の固締アセンブリ。
【請求項８】
コンテナシステムを通る長手方向軸を有するコンテナシステムであって、
（ａ）円筒形のネック部材を備える容器部材であって、前記ネック部材の外面の少なくとも一部に実質的に沿って、および少なくとも一部の回りで軸方向に延在し、不完全な構成物の途切れた螺旋形の螺条を形成する一連の回旋部を備える、容器部材と、
（ｂ）前記ネック部材の上で固締するためのカラーを備えて構成される締切り部材であって、カラー部材は前記ネック部材の上でネジで留めるために構成され、前記カラー部材は前記螺旋状の螺条を通る螺合係合のために構成された少なくとも１つのリブを備える円筒形の内面を有し、前記少なくとも１つのリブが前記内部螺条の一部を形成する、締切り部材と
を備え、
（ｃ）前記一連の回旋部の内の各回旋部がリード端部およびブレーキ端部を備え、したがって前記回旋部は前記リード端部から前記ブレーキ端部に延在し、前記ブレーキ端部は前記リード端部から離間され、前記途切れた螺旋形の螺条の前記不完全な構成物によって構成されるスライドギャップを形成する
コンテナシステム。
【請求項９】
前記不完全な構成物が、前記ブレーキ端部と前記リード端部との間で半径方向に延在し、前記ネック部材の前記長手方向軸に平行に前記ネック部材に沿って延在するギャップの形をとる、請求項８に記載のコンテナシステム。
【請求項１０】
前記リブが前記ギャップに沿った摺動自在な転移のために構成される、請求項９に記載のコンテナシステム。
【請求項１１】
前記ネック部材が少なくとも２つの半径方向に転位された鉛直ギャップを備える、前記請求項のいずれか１項に記載のコンテナシステム。
【請求項１２】
前記ブレーキ端部が平行に伸長し、停止壁の上での前記リブの螺合を妨げるために構成された前記停止壁によって軸方向に連結される、前記請求項のいずれか１項に記載のコンテナシステム。
【請求項１３】
前記停止壁が前記ネック部材の前記外面から半径方向に外向きに延在し、前記回旋部の高さに相当する高さまで突出する、請求項１２に記載のコンテナシステム。
【請求項１４】
前記少なくとも１つのリブが、前記回旋部のいずれか１つの前記リード端部を通る螺合のために構成される、請求項８に記載のコンテナシステム。
【発明の詳細な説明】
【技術分野】
【０００１】
本開示された主題は、固締アセンブリおよび固締アセンブリを含む製品に関する。特に、開示主題は、螺条型固締アセンブリおよび螺条型固締アセンブリを備えて構成されるコンテナシステムを容易に固締し、解放することに関する。
【背景技術】
【０００２】
固締アセンブリおよび螺条式固締アセンブリを備えて構成されるコンテナは、長年に渡り数多くの目的で使用されている。係るコンテナは、コンテナの中に、液体または固体等の多様な種類の原料を保管するために使用され、容器本体と容器本体を覆う締切り部との間の意図的ではない離脱を防止するために螺条式固締アセンブリを備えている。
【０００３】
係る固締アセンブリおよびコンテナの例は、たとえば内部の途切れた螺条を有するキャップおよび外部の特別に配置された誘導面を有するコンテナネックを含むコンテナの安全締切りアセンブリを対象とする米国第３，６７５，８０４号に説明されている。米国第４，７２１，２２０号は途切れた螺条を有する締切り部を対象とし、螺条セグメント間の中断部は鉛直に螺条セグメントと位置合わせされ、螺条の回転の重複する部分において螺条セグメントと少なくとも同じ長さである。
【発明の概要】
【０００４】
本開示主題は固締アセンブリおよび固締アセンブリを含む製品に関する。本開示主題に係る固締アセンブリは、２つの物体をともに連結する装置を指す。本開示主題に係る固締アセンブリを備えて構成される製品は、たとえば、コンテナシステムまたはコンテナシステムのパーツ、１つの要素を別の要素に関着するための連結器を指すことがある。
【０００５】
本明細書に使用されるように、用語「固締具」は、任意の適切な連結機構または締付け機構を指す。
【０００６】
本開示主題の一態様に従って、固締アセンブリが開示される。固締アセンブリは長手方向軸に沿って伸長し、円筒形のネック部材を含む。円筒形のネック部材は、ネック部材の外面の少なくとも一部の回りで軸に沿って延在し、不完全な構成物の途切れた螺旋形の螺条を形成する一連の回旋部を含む。固締アセンブリは、ネック部材とネジで留めるために構成されたカラー部材をさらに含む。カラー部材は、螺旋形の螺条との螺条係合のために構成された少なくとも１つのリブを含む円筒形の内面を有し、少なくとも１つのリブは内部螺条の一部を形成する。本態様に従って、一連の回旋部の内の各回旋部はリード端部からブレーキ端部に延在し、ブレーキ端部はリード端部から離間され、リード端部とブレーキ端部との間に、途切れた螺旋形の螺条の不完全な構成物によって構成されるスライドギャップを形成する。
【０００７】
本発明の別の態様に従って、コンテナシステムが開示される。コンテナシステムは長手方向軸に沿って伸長し、容器部材および締切り部材を含む。本態様に係る容器部材は、円筒形のネック部材、およびネック部材の外面の少なくとも一部に実質的に沿って、および少なくとも一部の回りに軸方向に延在し、不完全な構成物の途切れた螺旋形の螺条を形成する一連の回旋部を含む。締切り部材は、ネック部材の上で固締するためのカラー部材を備えて構成される。カラー部材は、ネック部材の上でネジで留めるために構成され、カラー部材は、螺旋形の螺条を通した螺条係合のために構成される少なくとも１つのリブを含む円筒形の内面を有し、少なくとも１つのリブは内部螺条の一部を形成する。本態様に従って、一連の回旋部の内の各回旋部は、回旋部がリード端部からブレーキ端部に延在するようにリード端部およびブレーキ端部を含み、該ブレーキ端部は該リード端部から離間され、途切れた螺旋形の螺条の不完全な構成物によって構成されるスライドギャップを形成する。
【０００８】
以下の特長および設計の内の任意の１つまたは複数は、本主題開示に従って、固締アセンブリおよび／または固締アセンブリを含む製品に、１つまたは複数の特長もしくは設計とは関係なく、または１つまたは複数の特長もしくは設計と組み合わせて組み込むことができる。
―固締アセンブリおよび／または固締アセンブリを含む製品は、プラスチック、ゴム、木材等の剛性であるが弾性のある原料から少なくとも部分的に形成できる。
―回旋部およびリブは、プラスチック、ゴム、木材等の剛性であるが弾性のある原料から形成される。
―スライドギャップは、長手方向に平行に、ネック部材の少なくとも一部に沿って軸方向に延在することがある。
―スライドギャップは、ネック部材の少なくとも一部に沿ってジグザグに進むように延在することがある。
―スライドギャップは、たとえば螺旋形の経路に沿って等、ネック部材の一部に沿って非軸状に延在することがある。係る構成では、リブはそれぞれ螺旋状に配列されて、螺合を可能にする。
―スライドギャップは、回旋部の上部近くに進入ポートを備えて構成できる。
―少なくとも１つのリブが、ギャップに沿った摺動自在の転移のために構成される。
―少なくとも１つのリブは、スライドギャップの幅よりも狭い幅を有する。
―ネック部材は、少なくとも２つの半径方向に転移されたスライドギャップを含むことがある。係る構成では、スライドギャップは、通常、等半径で転位される。
―ブレーキ端部は停止壁によって連結できる。本実施形態に従って、停止壁は、停止壁のどちらかの側または停止壁の両側の停止壁上での少なくとも１つのリブの螺合を防止するために構成できる。
―停止壁はネック部材の外面から半径方向に外向きに延在し、少なくとも回旋部の高さに対応する高さまで突出できる。
―滑るような面は、停止壁上でリブの螺合を容易にするために、停止壁の少なくとも一方の側に隣接して構成できる。
―滑るような面は、停止壁上でリブの螺合を容易にするために、それぞれ２つの回旋部の間で延在する停止壁に隣接して構成できる。
―少なくとも１つのリブは、断面で、少なくとも１つの上部平面（つまり、長手方向軸に垂直）を有することがある。
―少なくとも１つのリブは断面で概して三角形の形状を有し、上部平面および下部傾斜面を有する。特定の実施形態に従って、各回旋部は断面で、一致するが逆転した構造を有し、平面は回旋部の底部にあり、傾斜面は上側にある。本実施形態に従って、係合時、リブの平面は、少なくとも１つのリブおよび回旋部が意図的ではなく離脱しないように、回旋部の平面に当接する。
―少なくとも１つのリブは断面で概して台形形状を有する。台形は、特定の実施形態に従って等脚台形または直角台形であってよく、各回旋部は、断面で一致するが逆転した構造を有する。
―少なくとも１つのリブは矩形または正方形の断面を有する。
―少なくとも１つのリブは、回旋部の任意の１つのリード端部を通る螺合のために構成できる。
【０００９】
本開示を理解するため、および本開示が実践でどのように実行され得るのかを理解するために、ここで実施形態が非制限例としてのみ、添付図面に関して説明される。
【図面の簡単な説明】
【００１０】
【図１】本開示主題の例に係る容器部材および締切り部材を示す、離脱構成でのコンテナアセンブリの前面図である。
【図２Ａ】図１の容器部材の等角図である。
【図２Ｂ】図２Ａの締切り部材の底部等角図である。
【図３Ａ】容器のスライドギャップとともに延在するリブとの１つの係合位置での図１のコンテナアセンブリの前面等角図である。
【図３Ｂ】図３Ａの線Ａ−Ａに沿ってとられる、図３ＡのコンテナアセンブリのＩＩＩと記された部分の断面図である。
【図３Ｃ】図３Ａの線Ｂ−Ｂに沿った図３Ａのコンテナアセンブリの断面図の拡大部分を示す図である。
【図４Ａ】リブが部分的に回旋部の螺合と係合された、別の係合構成での図１のコンテナアセンブリの等角図である。
【図４Ｂ】図４Ａの線Ｃ−Ｃに沿った、図４Ａのコンテナアセンブリの断面図である。
【図５Ａ】開示主題の別の例に係る、それぞれ容器および締切り部材を示す図である。
【図５Ｂ】開示主題の別の例に係る、それぞれ容器および締切り部材を示す図である。
【図６Ａ】係合、開放、部分的に閉鎖、および固締のその多様な段階にあるコンテナアセンブリを示す図である。
【図６Ｂ】係合、開放、部分的に閉鎖、および固締のその多様な段階にあるコンテナアセンブリを示す図である。
【図６Ｃ】係合、開放、部分的に閉鎖、および固締のその多様な段階にあるコンテナアセンブリを示す図である。
【図６Ｄ】本開示主題に係る図６Ｃのコンテナアセンブリの断面図である。
【図７】リブが回旋部に当接した状態の、図６Ｄの部分ＩＶの拡大を示す図である。
【発明を実施するための形態】
【００１１】
説明の目的のために、本開示主題は、コンテナシステムに適用されるとして説明される。最初に、本開示主題の例に従って、概して１００と示されるコンテナシステムを示す図１から図２Ｂに注意が向けられる。コンテナ１００は長手方向軸Ｘに沿って伸長し、容器部材１２０および締切り部材１４０を含む。例示的な実施形態では、コンテナは概して円筒形の形状である。
【００１２】
容器部材１２０は、底端部Ｂおよび上端部Ｔ、容器部材の底端部Ｂに設けられる基部１２５、ならびに開放上部１２４の容器を形成する容器部材１２０の上端部Ｔに向かって基部１２５から伸長する円筒形のネック部材１２２を有する。
【００１３】
ネック部材１２２は、ネック部材１２２の外面１３２の一部１３０に沿って、および一部１３０の回りに等しく配置される一連の回旋部１３５を含み、外部螺条の一部を形成する。各回旋部は、それぞれがリード端部１３９Ａおよびブレーキ端部１３９Ｂを有する、２つの相隔たる部分Ｓ１およびＳ２に分けられる。回旋部は、このようにして螺条の上に２つの中断部を生じさせる不完全な構成物の途切れた螺旋形の螺条を形成する。
【００１４】
回旋部の部分Ｓ１およびＳ２は等半径で配置され、リード端部１３９Ａとブレーキ端部１３９Ｂとの間に、部分１３０に沿って鉛直に延在する２つの平行したスライドギャップを生じさせる。この例のギャップ１５０は、軸Ｘに平行に延在する。
【００１５】
代替の例では、スライドギャップが、部分１３０に沿ってたとえば（通常は直角で）ジグザグに進むように非軸である場合があることが理解されるだろう。
【００１６】
さらに、この例は、２つの部分Ｓ１およびＳ２を分ける２つのスライドギャップを示す。代替の例では、ネック部材は１つのスライドギャップしか含まないこともあれば、複数のスライドギャップを含むこともある。容器部材の上端部から容器部材の底端部に鉛直に延在する４つの対称スライドギャップ１５０を生じさせる、旋回部の４つの部分（Ｓ１−Ｓ４）を備えたネック部材を示す、１つの係る例が図５Ａに示されている。
【００１７】
ここで図１から図２Ｂに戻ると、ギャップ１５０は、コンテナの上部近くに進入ポート１８０を備えて構成される。この例では、スライドギャップ１５０は容器ネック１２２の上端部Ｔから、容器ネックの底端部Ｂに下方に延在する。この例では、ネック部材には実質的にネック部材の上端部Ｔで始まる回旋部が備えられているが、ネック部材があらゆる回旋部を欠いて部分１３０の上方に円筒形のカラー（ネック部分）を有することがあることが理解される。係る構成では、進入ポートは、回旋部の上部近くに構成できる。代わりに、係る円筒形のカラーは、カラーの回りに螺条を有することがある。
【００１８】
ブレーキ端部は、長手方向Ｘに平行な軸に沿って停止壁１３７Ａによって連結される。停止壁は、（図３Ｃに最もよく見られる）ネック部材１２０の外面から半径方向に外向きに直角αで延在する。停止壁１３７Ａは（図７にも見られる）回旋部１３５の高さｈに相当する高さＨまで突出する。停止壁１３７Ａが回旋部よりも高くなることもあれば、低くなることもあることが理解される。
【００１９】
本例に従って、滑るような面１３８が、停止壁１３７Ａの一方の側に隣接して構成され、リブ１４８のその上での螺合を容易にする。滑るような面１３８はそれぞれの２つの回旋部１３５の間に延在する。滑るような面１３８は、表面１３２から停止壁１３７Ａに向かって延在する傾斜した面である。この例に従って、リブ１４８は、締付け／螺合方向で螺合されるときに面１３８の表面を飛び越える／飛ばすことができ、回旋部を反対方向で螺合しようとする意図的ではない試みがなされるときに回旋部に入るのを妨げられる。リブ１４８が、力がかけられるときにどちらかの側から停止壁１３７Ａを越えて螺合できるようにする他の構成も構想されることが理解されるだろう。
【００２０】
本例では、リード端部は、ネック部材１２０の外面から外向きに半径方向に延在する進入壁１３７Ｂによって連結されている。進入壁１３７Ｂの高さＨ’は、回旋部１３５の高さｈよりも低い。進入壁は任意選択の特長であり、リード端部は、図５Ａで見られるように連結されるのではなく、開放となることがあることが理解されるだろう。
【００２１】
図１から図５Ｃに示される例示的な実施形態では、回旋部１３５は、（図７にもっともよく見られるように）長手方向断面で、傾斜面１３９および概して平面的な係合する面１３３のある一般的に三角形の形状を有する。開示主題が、たとえば、回旋部の切頂三角形構成等の他の構成を含むことが理解されるだろう。
【００２２】
締切り部材１４０は、上縁Ｔ’および下方終端部Ｌ、蓋部分から伸長し、円筒形の内面１４５を有する開放底部１４３のある円筒形の締切り部をともに形成するカラー部材１４２を備えた蓋部分１４１を有する。締切り部材は、ネック部材１２２を固締するために構成される。カラー部材１４２は、それぞれが、締切り部材の下端部Ｌで円筒面１４５から半径方向にかつ内向きに延在し、内部螺条の一部を形成する３つのリブ１４８を含む２セットの内部螺条を有する。リブ１４８は平行に配置され、本例では、等しい幅を有して軸に沿って配置される。リブは、容器１２０のネック１２２上の対応する外部螺条１３５に係合するように構成される。
【００２３】
締切り部材１４０の内面１４５に配置されるリブ１４８は、スライドギャップ１５０に沿った摺動自在の転移のためにも構成される。したがって、リブ１４８は、図３Ｃに最もよく見られるようにスライドギャップ１５０の幅よりも狭い。この例は各セットの３つのリブを示しているが、他の構成、つまり１つまたは複数（たとえば、この例では４つのセットが４つのスライドギャップに相当する、各セットに４つのリブを備えて構成された締切り部材を示す図５Ｂに見られるような）の構成も構想されることが理解されるだろう。
【００２４】
長手方向軸Ｘに垂直にとられた断面で見られるように、リブ１４８は、２つの傾斜壁１６２および１６４、ならびに壁１６２および１６４を連結する真直ぐな端縁１６６を有する（図３Ｃにもっともよく見られる）実質的に台形の形状を有する。傾斜壁１６２は、リブが、ねじ込まれるときに進入壁１３７Ｂ上を、外部螺条部分１３０の中に（つまり、右回りの方向で）容易に摺動できるようにし、壁１６４は、リブ１４８が、外部螺条の中から（つまり左回り方向で）螺合されるときに壁１６４から出ることを可能にする。
【００２５】
この例では、リブ１４８は、傾斜面１４７および概して平らな（軸Ｘに垂直に延在する）係合面１４３のある（図７にもっともよく見られる）概して三角形の断面を有する。本開示主題が、たとえば、リブの切頂三角形構成等の他の構成を含むことが理解されるだろう。
【００２６】
さらに図７に見られるように、回旋部１３５を通って螺合されるとき、リブ１４８は、リブ１４８の係合面１４３および回旋部１３５の係合面１３が互いに当接するように回旋部１３５に係合する。係る構成では、リブは、たとえば締切り部材１４０が容器部材１２０から離れて上方に引き出されるときに、回旋部から意図的ではなく離脱しないようにされる。他方、回旋部の傾斜面１３９およびリブの傾斜面１４７の構成は、容器に対する締切り部の軸に沿った転移、つまり締切り部が容器の上で押し下げられるときに、リブが回旋部を飛ばして、回旋部上で長手方向にリブの所望される高さで（たとえば、コンテナに受け取られる物体に遭遇するとき、または下縁Ｌが容器の底端部Ｂに係合した状態で）スナップ係合することを可能にする。
【００２７】
ここで、係合および固締（締付け）の多様なモードにあるコンテナアセンブリ１００を示す図６Ａから図６Ｃが注目される。図６Ａは、容器１２０の上方に締切り部１４０を設置する第１の段階を示し、矢印Ｅは容器１２０の上での締切り部１４０の所望される高さの連結に向かうリブ１３５の経路を示す。図６Ａに見られるように、最上の回旋部１３５のリード端部１３９Ａは、最上の回旋部１３５のブレーキ端部１３９Ｂよりも容器部材１２０の上端部Ｔに近く、螺合されていない領域Ｕを生じさせる。この構成では、リブ１４８は、リブがギャップ１５０の中へ進入するまで、螺合されていない領域によってスライドギャップ１５０の中に導かれる。
【００２８】
図６Ｂで、締切り部材１４０は、容器部材１２０を部分的に覆い、リブ１４８はスライドギャップ１５０の内部で摺動自在に転移される。矢印Ｒは、締切り部１４０が、リブ１４８が回旋部１３５のリード端部１３９Ａを通って螺条に入るために（回転して）転移されなければならない方向を示す。このモードの等角図は図３Ａに提示され、図３Ｂおよび図３Ｃはアセンブリ１００の部分の長手方向断面および横断方向断面を示している。
【００２９】
本開示主題が、所望される固締の点まで最後までリブを螺合する必要なく、容器１２０の任意の高さでの締切り部材１４０の固締を可能にすることが理解されるだろう。容器に締切り部材を固締するためには、基本的には、リブ１４８の傾斜する壁１６４が進入壁１３７Ｂを越えることを可能にするように締切り部材を回転させ、したがって少なくとも１つのリブの係合面１４３が回旋部の面１３３に係合し、当接することで十分である。締切り部１４０は、リブが容器部材１２０の外部螺条の上で螺合できるようにするために単に締切り部を捻るだけで任意の所望される位置で固締できる。図６Ｄに示される例では、容器は、容器部材１２０の高さを実質的に超える高さを有する、Ａと示される製品を保持する。したがって、製品Ａは容器部材１２０の上端部Ｔを越えて突出する。この例に従って、締切り部材１４０は（この図では見られない）スライドギャップ１５０を通して、蓋部分１４１が製品Ａの最上縁Ａ’に係合するまで摺動される。締切り部材１４０のリブ１４８は、次いでリブ１４８が容器１２０の外部螺条１３０に係合するように回転され、締切り部材は、リブ１４８の係合面１４３が回旋部１３５のそれぞれの係合面１３３に係合し、それぞれの係合面１３３に押し付けられるように螺合運動によって下方に引っ張られる。このようにして、締切り部材１４０と容器部材１２０との間で製品Ａを介して力が行使され、製品は容器１２０の基部１２５と締切り部材１４０の蓋部分１４１との間でしっかりと保持される。この構成では、締切り部の移動は、実質的に妨げられており、スライドギャップに達するまでリブを解放するための逆の圧力をかけることで可能にされる。
【００３０】
締切り部材は、（たとえば図１および図２Ｂで見られる）内向きに突出する帯状の部分１４９を備えて構成されて、係合プロセスの間の締切り部材と容器との間のしっかりとした把持を容易にし、この２つの間の移動を妨げる。内向きに突出する部分１４９は、締切り部材の底部分に設けられ、締切り部材の内面の中にわずかに突出する。帯状の部分が連続することもあれば、仕切られることもあり、たとえば、平ら、曲線的等任意の幾何学構成を有してよいことが理解されるだろう。
【００３１】
図６Ｃは固締構成にあるコンテナシステムを示し、矢印Ｙは未固締モードに向かうリブの経路を示す。締切り部材は左回り方向で回転され、スライドギャップを通る摺動自在の転移を可能にするために、リブが螺条を出て、スライドギャップに入ることを可能にする。
【符号の説明】
【００３２】
１００  コンテナシステム
１２０  容器部材
１２２  ネック部材
１２４  開放上部
１２５  基部
１４０  締切り部材
１４５  内面
１４１  蓋部分
１４２  カラー部材
１４３  開放底部
【図１】
2015522484.tif 000003
【図２Ａ】
2015522484.tif 000004
【図２Ｂ】
2015522484.tif 000005
【図３Ａ】
2015522484.tif 000006
【図３Ｂ】
2015522484.tif 000007
【図３Ｃ】
2015522484.tif 000008
【図４Ａ】
2015522484.tif 000009
【図４Ｂ】
2015522484.tif 000010
【図５Ａ】
2015522484.tif 000011
【図５Ｂ】
2015522484.tif 000012
【図６Ａ】
2015522484.tif 000013
【図６Ｂ】
2015522484.tif 000014
【図６Ｃ】
2015522484.tif 000015
【図６Ｄ】
2015522484.tif 000016
【図７】
2015522484.tif 000017
【国際調査報告】
2015522484.tif 000018
2015522484.tif 000019